(57)【要約】  滑りあうように折り重ねられたシートから成る折丁を綴じる方法であって、  折丁(12)の折り重ねられた端(13)から短い距離のところに、折丁(12)のシートを貫通する少なくとも一つの切れ目(16)を備え、このとき、折丁(12)のシート(14)を貫通するすべての切れ目(16)がリップ(17)を定め、該リップが、折丁(12)の前記折り重ねられた端(13)と大体直交するように延びており、また該リップは、一端(18)によって折丁(12)に連結されていて、該一端(18)が折り重ねられた端(13)に向って湾曲させられており、また前記リップ(17)が幅広部分(19)を有する、ことを特徴とする方法。【選択図】      図１
2007522959.tif 000002
【特許請求の範囲】
【請求項１】
滑りあうように折り重ねられたシートから成る折丁を綴じる方法であって、
折丁(12)の折り重ねられた端(13)から短い距離のところに、折丁(12)のシートを貫通する少なくとも一つの切れ目(16)を備え、このとき、折丁(12)のシート(14)を貫通するすべての切れ目(16)がリップ(17)を定め、該リップが、折丁(12)の前記折り重ねられた端(13)と大体直交するように延びており、また該リップは、一端(18)によって折丁(12)に連結されていて、該一端(18)が折り重ねられた端(13)に向って湾曲させられており、また前記リップ(17)が幅広部分(19)を有する、
ことを特徴とする方法。
【請求項２】
前記幅広部分(19)が、折り重ねられた端(13)に向って湾曲させられているリップ(17)の一端(18)から距離Lにあることを特徴とする請求項１に記載の方法。
【請求項３】
リップ(17)がT形に作られることを特徴とする請求項１に記載の方法。
【請求項４】
折丁(12)を貫通する切れ目(16)が折丁(12)の表面に対して斜めに備えられることを特徴とする請求項１に記載の方法。
【請求項５】
切れ目(16)が、部分的に折丁(12)を貫通するように押し込まれる異形ダイ(4)によって形成されることを特徴とする請求項１に記載の方法。
【請求項６】
ダイ(4)が、折丁(12)に対して斜めに、折丁(12)を部分的に貫通するように押し込まれることを特徴とする請求項５に記載の方法。
【請求項７】
切れ目(16)を折丁(12)の折り重ねられた端(13)の近くに備える前に、前記折丁(12)が少なくとも部分的に巻かれることを特徴とする請求項１に記載の方法。
【請求項８】
いくつかの切れ目(16)が、相互に距離をおいて、折丁(12)の折り重ねられた端(13)から等距離に備えられることを特徴とする請求項１に記載の方法。
【請求項９】
前記リップ(17)が押し抜かれ、その結果、すべてのリップ(17)が折丁(12)の底部シート(14)の下にかみ合うことを特徴とする請求項１に記載の方法。
【請求項１０】
請求項１から９の中のいずれか１つに記載の方法によって折丁を綴じるための装置であって、
台(2)と少なくとも一つの切断手段(3)とから成り、該切断手段により、折丁(12)のそれぞれのシート(14)に少なくとも一つの切れ目(16)を備えて、リップ(17)を形成させることができる、
ことを特徴とする装置。
【請求項１１】
前記切断手段(3)が、軸方向に動くことのできる刃(7)を有することを特徴とする請求項１０に記載の装置。
【請求項１２】
使用時に、綴じられる折丁(12)の折り重ねられた端(13)に対して曲がった刃(7)の切断刃先(8)が、軸方向の運動に関して、反対方向の刃(7)の切断刃先(9)よりも、台(2)から大きな距離にあることを特徴とする請求項１１に記載の装置。
【請求項１３】
前記台(2)が穴(11)を有し、該穴の形状が形成される切れ目(16)の輪郭形状に一致していることを特徴とする請求項１０に記載の装置。
【請求項１４】
折丁(12)のための止め(15)が台(2)上に備えられていることを特徴とする請求項１０に記載の装置。
【請求項１５】
クランプ手段(20)が台(2)上に備えられ、該手段により折丁(12)のシート(14)をクランプすることができることを特徴とする請求項１０に記載の装置。
【発明の詳細な説明】
【技術分野】
【０００１】
本発明は、折丁を綴じる方法に関する。より詳しくは、紙、ボール紙、プラスチック、金属箔、その他の何枚かの折り返しシートから成る折丁、たとえば新聞、定期刊行物、梱包材料、その他を綴じる方法に関する。簡単なように、シートという言葉は、以下いつでも、すべての種類の、紙、プラスチック、金属箔、その他のシートを意味するものとする。
【背景技術】
【０００２】
周知のように、定期刊行物その他の折丁は、通常、ホッチキスその他で綴じられるが、これは割合に費用がかかり、またステープルの存在により、リサイクルがやりにくくなる。
【０００３】
やはり周知のように、新聞の折丁はまったく綴じられておらず、そのため読みづらくなる。新聞を開いたとき、あるいは折りたたんだとき、ゆるく重なったページが互いにずれることがあり、その結果、新聞をきちんとしたやり方で折りたたんだり読んだりするのがやりにくくなるからである。
【発明の開示】
【発明が解決しようとする課題】
【０００４】
本発明の目的は、追加の綴じ材料を使用することなく、適当な形の切れ目を備えることにより、簡単かつ効果的なやり方で折丁を綴じることのできる方法を提供することによって、前記その他の欠点を克服することである。
【課題を解決するための手段】
【０００５】
この目的に対応して、本発明は、
滑りあうように折り重ねられたシートから成る折丁を綴じる方法であって、
折丁の折り重ねられた端から短い距離のところに、折丁のシートを貫通する少なくとも一つの切れ目を備え、このとき、折丁のシートを貫通するすべての切れ目がリップを定め、該リップが、折丁の前記折り重ねられた端と大体直交するように延びており、また該リップは、一端によって折丁に連結されていて、該一端が折り重ねられた端に向って湾曲させられており、また前記リップが該端からある距離に幅広部分を有する、
ことを特徴とする方法、
に関する。
【０００６】
本発明のこの方法の利点は、折丁と異なる性質の材料たとえばステープルその他を使用することなく、折丁を綴じることができ、したがって折丁を割合簡単にリサイクルすることができる、ということである。
【０００７】
また、本発明の方法によって折丁を綴じるためには、割合に簡単な操作が必要なだけであり、この操作は割合に費用のかからないやり方で実施することができる。
【０００８】
本発明は、また、
前記方法に使用することのできる装置であって、
台と少なくとも一つの切断手段とから成り、該切断手段により、折丁のそれぞれのシートに少なくとも一つの切れ目を備えて、リップを形成させることができる、
ことを特徴とする装置、
にも関する。
【０００９】
本発明のこの装置は、割合に簡単なものであり、したがって、割合に低費用で製造することができ、そのため、本発明の方法と装置とによって折丁を綴じることには、最小限の費用しかかからない、という利点が与えられる。
【発明を実施するための最良の形態】
【００１０】
以下、本発明の特徴をさらに十分に説明するために、折丁を綴じるための本発明の方法と装置の好ましい実施形態について、添付の図面を参照しつつ、説明する。これは、単なる例であり、本発明を限定するものではない。
【００１１】
図１は、本発明の装置1を模式的に示す図であり、この装置は主として台2と切断手段3とから成る。
【００１２】
この実施形態の場合、切断手段3はダイ4から成り、ここでは、ダイ4にピストン棒6を有するシリンダー5が備えられており、ピストン棒6は軸方向に動くことができ、シリンダー5は図には示さない加振手段(excitation)を備えている。
【００１３】
ダイ4は、異形ナイフ(profiled knife)7の形に作られており、該ナイフの一つの切断刃先8は、シリンダー5の運動軸方向に関して、反対側の切断刃先9よりも台2から遠い距離に配置されている。
【００１４】
図２は、ダイ4の軸方向運動の向きに見たダイ4の断面であり、このダイは、前記切断刃先8から距離Lに幅広部分10を有している。
【００１５】
台2には、穴11が備えられ、その形状はナイフ7の輪郭形状に一致している。
【００１６】
本発明の装置1の使用法は、非常に簡単であり、下記のようである。
【００１７】
図１に示すように、綴じる折丁12を折り重ねられた状態で台2上に配置し、折丁12のシート14の折り重ねられた端13が台2の穴11から割合に短い距離に配置されるようにする。そのために、台2は止め15を備えることができる。
【００１８】
折丁12を綴じるために、この場合、前記シリンダー5のピストン棒6を押しだすことにより、ダイ4を軸方向に動かす。ここで、異形ナイフ7を部分的に穴11を貫通させる。このとき、ナイフ7の前記切断刃先8が折丁12の折り重ねられた端13にもっとも近く配置され、折丁12のシート14が切り離されず、切れ目16が折丁12のシート14に備えられるようにする。
【００１９】
この切れ目16により、折丁12の各シートにリップ17が形成され、該リップは、前記折り重ねられた端に大体直交するように延びており、また折り重ねられた端13に向って曲げられる端18によって折丁12に連結されている。また、このとき、このリップ17は、たとえばT形のリップ17の形状の場合、前記端18からある距離に幅広部分19を有する。
【００２０】
次に、各シート14のリップ17は、折丁12の下にあるシート14の切れ目16から押し出され、図４〜７に示すように、それぞれのリップ17の幅広部分19が折丁12の裏シート14の切れ目16の側辺の下にかみ合う。その結果、折丁12のシート14は、相互にあるべき位置に保持され、したがっていつでも折丁12をそのもともとの折り重ねられた端13に沿って簡単に折り返すことができる。
【００２１】
図８は、本発明の装置1の変形実施形態を示す。この場合、切断手段3は台2に対して傾斜している。
【００２２】
この変形の場合も、切れ目16を折丁12のそれぞれのシート14に備えることができるが、ここでは、順次に重ねられたシート14の切れ目16の位置が、上から下に向って、折り重ねられた端13からだんだん遠くなるように配置されている。これは、図９に示すように、それぞれのリップ17の幅広部分19が、さらに良く裏シート14の切れ目16の側辺の下にかみ合うという利点を有する。
【００２３】
図１０および１１においては、湾曲した台２が使用され、これらの台2のそれぞれに備えられた折丁12のシート14は、部分的に巻かれ、順次に重ねられたシート14は、台2の穴11の位置において相互にずれるようになっている。この場合、折丁12の表面に直交するように切れ目16が備えられると、折丁12の順次に重ねられたシート14の切れ目16は、相互に少しずつずれ、その結果、図８に示す前記変形の場合と同じ効果が得られる。
【００２４】
図１０に示すように、台2上にはクランプ手段20を備えることができ、該クランプ手段20により、折丁12のシート14をまとめてクランプすることができる。そのようなクランプ手段20は、湾曲した台2の場合に、折丁12のシート14を貫通する切れ目16が、すべてのシート14において、折り重ねられた端13から同じ距離またはほとんど同じ距離にあるようにするために有効である。
【００２５】
この場合、折丁12をまず台2上に平らに配置してから、クランプ手段20を使用するようにしなければならない。次に、折丁12を台2の湾曲部分21に沿って曲げて、折り重ねられた端13と切れ目16の位置との間でシート14が上から下に向ってずれるようにすることができる。
【００２６】
図１１に模式的に示す装置1を使用するとき、折丁12のシート14は、台2と支持領域21との間にクランプしてから、切断手段3の下まで折り返される。
【００２７】
折丁12のシート14を折り返すことにより、折り重ねられた端13は台2からある程度持ち上げられ、したがって、折り重ねられた端13と切れ目16が備えられる位置との距離は、折丁12の上のほうにあるシート14においては下のほうにあるシート14においてよりも小さい。前記切れ目16が備えられ、形成されるリップ17が押し抜かれると、頂部にあるシート14のリップ17は、折丁12の底部シート14と切れ目16の側辺の割合に遠方までかみ合う。
【００２８】
図１２〜１６には、本発明による切れ目16を備えるために使用できるナイフ7の可能な各種断面を示す。
【００２９】
ここで重要なことは、これらの断面はすべて、幅広部分10が前記切断刃先8からある距離Lに配置されている形を示しているということである。ここで、値Lは、綴じられる折丁12の厚さを示す値Aよりも大きい。
【００３０】
当然のことながら、前記各実施形態においては、ナイフ7を動かすために、必ずしも加振(excited)シリンダー5を使用する必要はない。この運動は、他の手段によっても得ることができ、たとえば通常の紙穿孔機におけるような圧力機構によって得ることができる。
【００３１】
注意すべきことは、切断手段3は必ずしもダイ4でなくても良く、レーザーその他によって前記切れ目16を得ることも可能である、ということである。
【００３２】
本発明は、添付の図面に示した前記実施形態のみに限定されるものではない。逆に、折丁を綴じるための本発明の方法と装置は、本発明の範囲を逸脱することなく、いろいろな変形を加えて実施することができる。
【図面の簡単な説明】
【００３３】
【図１】本発明の装置の使用中の様子を示す模式図である。
【図２】図１の線II−IIに沿う断面図である。
【図３】本発明の方法によって綴じられた折丁の縮尺斜視図である。
【図４】図３にF4で示す部分の拡大図である。
【図５】図４の線V−Vに沿う断面図である。
【図６】図４の線VI−VIに沿う断面図である。
【図７】図４に示す部分と同じ部分の図であるが、開いた状態のものである。
【図８】図１に示す装置の変形を示す図である。
【図９】図４に示す部分と同じ部分の図であるが、図８に示す装置によって綴じられた折丁を示す。
【図１０】図１に示す装置の変形を示す図である。
【図１１】図１に示す装置の変形を示す図である。
【図１２】図２に示す断面の可能な変形を示す図である。
【図１３】図２に示す断面の可能な変形を示す図である。
【図１４】図２に示す断面の可能な変形を示す図である。
【図１５】図２に示す断面の可能な変形を示す図である。
【図１６】図２に示す断面の可能な変形を示す図である。
【符号の説明】
【００３４】
1  本発明の装置
2  台
3  切断手段
4  ダイ
5  シリンダー
6  ピストン棒
7  異形ナイフ
8  切断刃先
9  切断刃先
10  幅広部分
11  穴
12  折丁
13  折り重ねられた端
14  シート
15  止め
16  切れ目
17  リップ
18  17の端
19  幅広部分
20  クランプ手段
21  湾曲部分、支持領域
A  折丁の厚さ
L  8から10までの距離
【図１】
2007522959.tif 000003
【図２】
2007522959.tif 000004
【図３】
2007522959.tif 000005
【図４】
2007522959.tif 000006
【図５】
2007522959.tif 000007
【図６】
2007522959.tif 000008
【図７】
2007522959.tif 000009
【図８】
2007522959.tif 000010
【図９】
2007522959.tif 000011
【図１０】
2007522959.tif 000012
【図１１】
2007522959.tif 000013
【図１２】
2007522959.tif 000014
【図１３】
2007522959.tif 000015
【図１４】
2007522959.tif 000016
【図１５】
2007522959.tif 000017
【図１６】
2007522959.tif 000018
【国際調査報告】
2007522959.tif 000019
2007522959.tif 000020